(57)【要約】【課題】ユーザが容易に交換することができる羽部を備えた羽ばたき浮上移動装置を提供する。【解決手段】アクチュエータ２は、上部超音波モータ２１および下部超音波モータ２２を備えている。上部超音波モータ２１は、上部プレート２３１を駆動する。下部超音波モータ２２は、下部プレート２３２を駆動する。上部プレート２３１には、羽固定プレート２３４が回転可能に接続されている。下部プレート２３２および羽固定プレート２３４のそれぞれには、中間プレート２３３が回転可能に接続されている。羽部は、固定プレート２３４に取り付け可能に構成されているとともに、アクチュエータ２から取り外し可能に構成されている。【選択図】図３
2009292329.tif 000002
【特許請求の範囲】
【請求項１】
羽ばたき運動する羽部と、
前記羽部を駆動するアクチュエータと、
前記アクチュエータを制御する制御部とを備え、
前記羽部は、前記アクチュエータに取り付け可能に構成されているとともに、前記アクチュエータから取り外し可能に構成されている、羽ばたき浮上移動装置。
【請求項２】
前記アクチュエータは、
前記制御部により制御される第１モータと、
前記第１モータから独立して前記制御部により制御される第２モータと、
前記第１モータにより直接的に駆動される第１被駆動部と、
前記第２モータにより直接的に駆動される第２被駆動部と、
前記第１被駆動部に対して回転可能に接続された第１中間部と、
前記第２被駆動部および前記第１中間部のそれぞれに対して回転可能に接続された第２中間部と含み、
前記羽部は、前記第１中間部および前記第２中間部のうちのいずれか一方の中間部に取り付け可能に構成されているとともに、前記一方の中間部から取り外し可能に構成されており、
前記制御部は、前記第１モータおよび前記第２モータに前記第１被駆動部および前記第２被駆動部を駆動させることにより、前記羽部がその根元部を中心軸とする往復回転運動およびその前縁部を中心軸とする捻り運動をするように、前記第１中間部および前記第２中間部の姿勢を変化させる、請求項１に記載の羽ばたき浮上移動装置。
【請求項３】
前記羽部は、その前縁部に沿って延びる折板構造を有し、
前記折板構造は、前記羽部の一方の主表面側においてのみ突出しており、
前記一方の主表面は、前記羽部の両主表面のうちの前記アクチュエータに接触している主表面の裏側の主表面である、請求項１または２に記載の羽ばたき浮上移動装置。
【請求項４】
前記羽部は、前記アクチュエータに接着剤により固定されている、請求項１〜３のいずれかに記載の羽ばたき浮上移動装置。
【請求項５】
前記アクチェータは、前記羽部の前記アクチュエータに対する位置を規定する位置決め用凸部を有しており、
前記位置決め用凸部は、前記折板構造によって形成される位置決め用溝に嵌まり込む、請求項１〜４のいずれかに記載の羽ばたき浮上移動装置。
【請求項６】
前記位置決め用凸部は、前記位置決め用溝に内接する形状を有している、請求項５に記載の羽ばたき浮上移動装置。
【請求項７】
前記アクチュエータは、前記羽部の根元部が挿入されるポケット部を有している、請求項１〜６のいずれかに記載の羽ばたき浮上移動装置。
【請求項８】
前記アクチュエータは、突出部を有し、
前記羽部の根元部は、前記突出部が嵌め込まれる凹部または貫通孔を有している、請求項１〜７のいずれかに記載の羽ばたき浮上移動装置。
【請求項９】
前記アクチュエータは、平面視においてＵ字を描く溝を有し、
前記突出部が、前記Ｕ字の内側の領域に設けられている、請求項８に記載の羽ばたき浮上移動装置。
【請求項１０】
前記突出部は、前記羽部の根元部側から前記羽部の先端側へ窪む溝状の凹みを有し、
前記貫通孔の周辺の部分が前記溝状の凹みに嵌まり込む、請求項９に記載の羽ばたき浮上移動装置。
【請求項１１】
前記Ｕ字を描く溝は、前記Ｕ字の下部が前記羽部の先端部に向かうように、かつ、前記Ｕ字の上部が前記羽部の根元部に向かうように設けられている、請求項９または１０に記載の羽ばたき浮上移動装置。
【発明の詳細な説明】
【技術分野】
【０００１】
本発明は、羽ばたき浮上移動装置の羽部に関するものである。
【背景技術】
【０００２】
羽ばたき浮上移動装置は、従来の固定翼を有する飛行機およびヘリコプターよりも機動性において優れている。そのため、近年、羽ばたき飛行するロボットの工学的な実現を目指した研究が盛んになっている。特に、トンボおよびハエなどの昆虫が行っているようなホバリング（停空飛翔）の工学的な応用が期待されている。昆虫に見られるような高い機動力を羽ばたき浮上移動装置に発揮させるためには、左羽部および右羽部のそれぞれを少なくとも２自由度で駆動することが必要である。たとえば、特開２００６−６９４８２号公報においては、前述の２自由度の運動を、プレート、薄いフィルムによって構成されたヒンジ（蝶番）、および２つの回転部材（これらは、以後、「上部ロータ」および「下部ロータ」と呼ばれる。）を用いて、羽部の根元部を２自由度で駆動する方法が開示されている。
【特許文献１】特開２００６−６９４８２号公報
【発明の開示】
【発明が解決しようとする課題】
【０００３】
しかしながら、上記の従来の羽ばたき浮上移動装置においては、羽ばたき浮上移動装置のユーザ自身が損傷した羽部を新たな羽部へ交換することが困難であるという問題がある。以下、その問題が具体的に説明される。
【０００４】
図１２は、特開２００６−６９４８２号公報に開示された羽ばたき浮上移動装置の外観図である。図１２に示されるように、左および右の羽部２１１０は、筐体２１０１から外方に突出している。それにより、羽部２１１０は羽ばたき飛行中に他の物体に衝突し易い。また、羽部２１１０は、極めて軽量であることを必要とするため、極めて細い枠およびフィルムによって形成されている。そのため、羽部２１１０は、外部からの衝撃により破損し易い。その結果、羽部２１１０の破損が頻繁に生じてしまう。したがって、ユーザによるメンテナンスの容易性の観点から、羽部を容易に交換することができる羽ばたき浮上移動装置が求められている。
【０００５】
また、羽部２１１０は、それに隣接するアクチュエータを構成するプレート部にフィルムを介して接続されている。羽部２１１０の交換のためには、破損した羽部２１１０をフィルムから取り外すこと、および、新たな羽部２１１０をフィルムに再度接着することが必要になる。
【０００６】
しかしながら、羽部２１１０とプレート部との間隔が大きすぎると、アクチュエータの構成する機構の動作の精度が低下する。一方、逆に、羽部２１１０とプレート部との間隔が小さすぎると、羽部２１１０の根元部とプレート部とが接触してしまうため、アクチュエータを構成する機構が適正に動作することができない。したがって、羽部２１１０とプレートとの間隔は、アクチュエータを構成する機構の動作に悪影響を及ぼさない程度に設定されることが必要である。そのためには、高度な製作技術が要求される。
【０００７】
また、前述の機構は、羽ばたき浮上移動装置の軽量化のために、極力小型化されている。そのため、羽部２１１０とプレート部との間隔は極めて小さい。したがって、羽ばたき浮上移動装置のユーザが羽部２１１０を交換すると、羽部２１１０とアクチュエータとの組み付け誤差に起因して羽ばたき浮上移動装置の性能に問題が生じることがある。
【０００８】
以上から分かるように、従来の羽ばたき浮上移動装置によれば、現実的には、ユーザが破損した羽部２１１０を交換することができない。したがって、羽ばたき浮上移動装置の寿命は極めて短い。
【０００９】
本発明は、上述の事情に鑑みなされたものであり、その目的は、ユーザが容易に交換することができる羽部を備えた羽ばたき浮上移動装置を提供することである。
【課題を解決するための手段】
【００１０】
本発明の羽ばたき浮上移動装置は、羽ばたき運動する羽部と、羽部を駆動するアクチュエータと、アクチュエータを制御する制御部とを備えている。また、羽部は、アクチュエータに取り付け可能に構成されているとともに、アクチュエータから取り外し可能に構成されている。この構成によれば、羽部を容易に交換することができる。
【００１１】
また、アクチュエータは、制御部により制御される第１モータと、第１モータから独立して制御部により制御される第２モータと、第１モータにより直接的に駆動される第１被駆動部と、第２モータにより直接的に駆動される第２被駆動部と、第１被駆動部に対して回転可能に接続された第１中間部と、第２被駆動部および第１中間部のそれぞれに対して回転可能に接続された第２中間部と含んでいてもよい。この場合、羽部は、第１中間部および第２中間部のうちのいずれか一方の中間部に取り付け可能に構成されているとともに、一方の中間部から取り外し可能に構成されていることが望ましい。また、制御部は、第１モータおよび第２モータに第１被駆動部および第２被駆動部を駆動させることにより、羽部がその根元部を中心軸とする往復回転運動およびその前縁部を中心軸とする捻り運動をするように、第１中間部および第２中間部の姿勢を変化させることが望ましい。この構成によれば、中間部への羽部の取り付けおよび中間部からの羽部の取り外しにより、羽部を容易に交換することができる。
【００１２】
また、羽部は、その前縁部に沿って延びる折板構造を有しており、その折板構造が、羽部の一方の主表面側においてのみ突出していることが望ましい。この場合、一方の主表面は、羽部の両主表面のうちのアクチュエータに接触している主表面の裏側の主表面であることが望ましい。この構成によれば、羽部の折板構造とアクチュエータとが接触することがない。そのため、羽部の交換を容易にすることができる。
【００１３】
また、羽部がアクチュエータに接着剤により固定されていることが望ましい。この構成によれば、アクチュエータに羽部を取り付けるための専用の構造を設ける必要がない。そのため、アクチュエータの重量の増加を抑制し、かつ、羽部の取り付け作業を複雑化させることを防止しながら、羽部を容易に交換することできる羽ばたき浮上移動装置を提供することができる。
【００１４】
また、アクチェータが羽部のアクチュエータに対する位置を規定する位置決め用凸部を有しており、位置決め用凸部が折板構造によって形成される位置決め用溝に嵌まり込むことが望ましい。この構成によれば、羽部のアクチュエータに対する位置決めの正確さを容易に向上させることができる。
【００１５】
また、位置決め用凸部が位置決め用溝に内接する形状を有していることが望ましい。この構成によれば、羽部のアクチュエータに対する位置決めの正確さを最大限に向上させることができる。
【００１６】
また、アクチュエータが羽部の根元部が挿入されるポケット部を有していることが望ましい。この構成によれば、接着剤を用いることなく、羽部のアクチュエータに対する位置を固定することができる。
【００１７】
また、アクチュエータが突出部を有し、羽部の根元部が、突出部が嵌め込まれる凹部または貫通孔を有していることが望ましい。この構成によれば、羽部の面内方向における羽部のアクチュエータに対する移動が突出部によって拘束される。
【００１８】
また、アクチュエータが平面視においてＵ字を描く溝を有し、突出部がＵ字の内側の領域に設けられていることが望ましい。この構成によれば、Ｕ字の内側の領域が面外方向に容易に撓む。そのため、突出部をアクチュエータの主表面に向かう方向に押すことにより、凹部または貫通孔から容易に取り外すことができる。
【００１９】
また、突出部が羽部の根元部側から羽部の先端側へ窪む溝状の凹みを有し、貫通孔の周辺の部分が前記溝状の凹みに嵌り込むことが望ましい。この構成によれば、羽部が羽ばたき運動中にアクチュエータから外れてしまうことが確実に防止される。
【００２０】
また、Ｕ字を描く溝は、Ｕ字の下部が羽部の先端部に向かうように、かつ、Ｕ字の上部が羽部の根元部に向かうように設けられていることが望ましい。この構成によれば、羽部が羽ばたき運動しているときに、アクチュエータのうちのＵ字を描く溝の内側の領域に生じる力は、圧縮力ではなく、引っ張り力である。したがって、膜厚が小さい羽部であっても、アクチュエータのうちのＵ字を描く溝の内側の領域が座屈することが防止される。
【発明の効果】
【００２１】
本発明によれば、羽ばたき浮上移動装置の羽部を容易に交換することが可能になる。
【発明を実施するための最良の形態】
【００２２】
（実施の形態１）
以下、図１〜図６を用いて、本発明の実施の形態１の浮上移動装置が説明される。なお、本発明の目的は、羽ばたき浮上移動装置の羽部を容易に交換する手法を提供することである。そのため、羽ばたき浮上移動装置の各構成要素としては、その代表例のみが挙げられる。したがって、本発明の範囲は、以下に記載される代表例の構成要素に限定されない。
【００２３】
（羽ばたき浮上移動装置の全体構成）
＜全体構成＞
以下、図１を用いて、本発明の実施の形態の羽ばたき浮上移動装置の構成が説明される。
【００２４】
羽ばたき浮上移動装置は、筐体１を備えている。筐体１にはアクチュエータ２が固定されている。アクチュエータ２には羽部３が取り付けられている。また、アクチュエータ２は、筐体１内に搭載された制御部５０に格納された駆動回路およびプログラムからの指示によって駆動される。
【００２５】
また、筐体１は左右対称である。また、アクチュエータ２および羽部３も、筐体１の対称面に対して鏡面対称に配置されている。本実施の形態の羽ばたき浮上移動装置は、一般的な羽ばたき浮上移動装置の構成と同様である。しかしながら、羽ばたき飛行の特性が損なわれない限り、本発明の羽ばたき装置の構成は、本実施の形態の羽ばたき装置の構成に限定されない。以下においては、左および右のアクチュエータおよび羽部のうちの一方の説明がなされ、左および右のアクチュエータおよび羽部のうちの他方の説明はなされない。また、実施の形態の羽ばたき浮上移動装置の駆動回路および筐体１の形状等は、本発明の羽ばたき浮上移動装置の一例であり、本発明の羽ばたき浮上移動装置の構造は、羽部の羽ばたき動作により流体中を飛行することができるものであれば、実施の形態の羽ばたき装置の構造に限定されない。
【００２６】
＜アクチュエータ＞
次に、図２〜図４を用いてアクチュエータ２の構成が説明される。
【００２７】
[アクチュエータの構成]
アクチュエータ２は、羽部３に接続される複合メカニカルリンク２３を備えている。複合メカニカルリンク２３は、上部超音波モータ２１と下部超音波モータ２２とにより駆動される。複合メカニカルリンク２３は、本発明の第１被駆動部の一例の上部プレート２３１と、本発明の第２被駆動部の一例の下部プレート２３２とを備えている。また、複合メカニカルリンク２３は、本発明の第１中間部の一例の中間プレート２３３と、本発明の第２中間部の一例の羽固定プレート２３４とを備えている。上部プレート２３１は、上部超音波モータ２１に直接固定されている。下部プレート２３２は、下部超音波モータ２２に直接固定されている。
【００２８】
さらに、複合メカニカルリンク２３は、上部プレート２３１と羽固定プレート２３４とを回転可能に接続するアラミドフィルム２３７、羽固定プレート２３４と中間プレート２３３とを回転可能に接続するアラミドフィルム２３６、および中間プレート２３３と下部プレート２３２とを回転可能に接続するアラミドフィルム２３５とを備えている。言い換えれば、中間プレート２３３の１つの辺縁は、アラミドフィルム２３５が介在する状態で、下部プレート２３２の１つの辺縁に回転可能に接続されている。中間プレート２３３の他の辺縁は、アラミドフィルム２３６が介在する状態で、羽固定プレート２３４の１つの辺縁に回転可能に接続されている。羽固定プレート２３４の他方の辺縁は、アラミドフィルム２３７が介在する状態で、上部プレート２３１の１つの辺縁に回転可能に接続されている。
【００２９】
図２に示される構造から羽部３のみが取り外された構造が図３に示されている。図３におけるハッチングで示された領域が羽固定プレート２３４である。すなわち、羽部３は、羽固定プレート２３４に取り付け可能であるとともに、羽固定プレート２３４から取り外し可能である。なお、羽部３が、羽固定プレート２３４ではなく、中間プレート２３３に取り外し可能な態様で取り付けられていてもよい。
【００３０】
[アクチュエータのモータ]
上部プレート２３１を駆動するモータおよび下部プレート２３２を駆動するモータのそれぞれとしては、正回転および逆回転をすることが可能であり、かつ、パワーの質量に対する比が大きいという理由で、本実施の形態においては、超音波モータが用いられている。しかしながら、アクチュエータを駆動するためのモータの種類は、超音波モータに限定されず、他のいかなる種類のモータであってもよい。たとえば、本発明のアクチュエータは、人工筋肉によって構成されていてもよい。この場合においても、人工筋肉は、上部超音波モータ２１および下部超音波モータ２２がそれぞれ上部プレート２３１および下部プレート２３２を駆動させる態様と同様の態様で、上部プレート２３１および下部プレート２３２を駆動させることができるものとする。また、本発明の羽ばたき浮上移動装置は、人工筋肉が羽固定プレート２３４を駆動させることによって羽部３に羽ばたき動作をさせることができるのであれば、人工筋肉が上部超音波モータ２１および下部超音波モータ２２とは異なる動作を羽固定プレート２３４にさせるものであってもよい。つまり、羽固定プレート２３４に羽部３を取付けるための構造以外の構造は、いかなるものであってもよい。
【００３１】
また、上部超音波モータ２１および下部超音波モータ２２は、図１に示される制御部５０に搭載された駆動回路およびプログラムによって駆動される。それにより、図４に示されるような態様で、円盤形状の上部超音波モータ２１が、中心軸まわりに回転角θ１（図３参照）で回転往復運動をし、かつ、円盤形状の下部超音波モータ２２が、中心軸まわりに回転角θ２（図３参照）で回転往復運動をする。上部超音波モータ２１の回転中心軸と下部超音波モータ２２の回転中心軸とは一致している。
【００３２】
したがって、羽部３は、図４に示されるように、上部超音波モータ２１および下部超音波モータ２２の中心軸をその回転中心軸として、所定の平面に沿って往復回転運動をするとともに、羽部３の前縁部、すなわち概ねアラミドフィルム２３７が延びる方向に沿った軸を中心軸とする捻り運動をする。この往復運動の周波数は、２５Ｈｚである。また、前述の往復回転運動および捻り運動は、いずれも、上部超音波モータ２１および下部超音波モータ２２のそれぞれの回転角を独立して制御することにより実現される。このときの超音波モータの回転角を制御する駆動回路およびその制御のためのアルゴリズムは、カメラのレンズ駆動機構などで既に実用化されている技術であるので、その説明は省略される。
【００３３】
本実施の形態においては、図４に示される羽ばたき動作によって、羽ばたき浮上移動装置の羽部３は、前後方向において往復運動をするとともに、往復運動の反転の前後で、前縁部を回転軸とする捻り運動をすることになる。しかしながら、本発明の羽ばたき浮上移動装置は、図４に示される羽ばたき動作以外の羽ばたき方をするものであってもよい。つまり、本発明の羽ばたき浮上移動装置は、羽固定プレート２３４に羽部３を取付けるための構造を特徴とするため、その羽ばたき動作は特に実施の形態において示されたものに限定されず、いかなるものであってもよい。
【００３４】
[羽固定プレート]
図５に示されるように、羽固定プレート２３４には、羽部３の根元部３５が接着されている。また、羽固定プレート２３４には、後述される羽部３の折板構造３２に対応する部位に、位置決め用の用凸部３３が設けられている。本実施の形態においては、用凸部３３を製作することが容易であることを重視して、折板構造３２および羽固定プレート２３４によって形成される三角柱の空間に内接する径の円柱が、羽固定プレート２３４に固定されている。その円柱の固定方法および形状は、本発明の目的を達成することができる限り、いかなるものであってもよい。
【００３５】
また、本実施の形態においては、本発明の中間部として、羽固定プレート２３４のようなプレート状の部材が用いられているが、羽部３が取付けられかつ取外され得るものであれば、中間部の構造は、プレート状に限定されず、いかなる形状を有していてもよい。
【００３６】
＜羽部＞
羽部３は、軽量化を目的として、図６および図７に示されるように、ＣＦＲＰ(繊維強化プラスチック)で構成される外枠３９にアラミドフィルム３８を貼り付けることによって形成される。なお、外枠３９の一部は、三角形の領域を形成するように設けられている。また、羽部３の根元部３５は、後述されるように、アクチュエータ２における複合メカニカルリンク２３の羽固定プレート２３４に取り外し可能な態様で取り付けられている。また、図６には、点線にて上下のアラミドフィルム２３６および２３７の位置も示されている。アラミドフィルム２３６および２３７は、いずれも、羽固定プレート２３４に接着されているものであり、羽部３に直接固定されているものではない。
【００３７】
なお、本実施の形態においては、羽部３の構造を具体的に規定しているが、羽部３の構造は、本発明の中間部、具体的には、羽固定プレーと２３４に取付けられ得るものであってかつ羽固定プレート２３４から取外され得るものであれば、いかなるものであってもよい。
【００３８】
羽部３の前縁部に沿って、折板構造３２が延びている。すなわち、外枠３９は、羽部３の前縁部において、その長手方向に沿って延びる溝を有している。折板構造３２は、羽部３に要求される強度の条件および重さの条件の双方を具備する。折板構造３２は、一般的に昆虫の羽に設けられており、それはコルゲーションと呼ばれる。また、折板構造３２は、一般に、前縁部を含む平面内の曲げに対する羽部３の剛性を大きくしながら、前縁部を中心軸とする捻りに対する羽部３の剛性を低くすることができるものであれば、その形状はいかなるものであってもよい。しかしながら、本発明の羽部３の実現性を考慮すると、羽部３が羽固定プレート２３４に装着された際に、折板構造３２が羽固定プレート２３４に接触しないことが望ましい。そのため、本実施の形態においては、折板構造３２は、羽固定プレート２３４が取り付けられる面の裏側の面から外方へ突出しているが、羽固定プレート２３４が取り付けられる面から外方へ突出していないものとする。なお、図７においては、１つの山形部が設けられた折板構造３２が示されているが、複数の山形部が設けられた折板構造３２であってもよい。
【００３９】
なお、本実施の形態においては、羽部３の前縁部に折板構造３２が設けられている構造が説明されたが、羽部３の前縁部に折板構造３２が設けられていないものであってもよい。つまり、折板構造３２は、羽部３を羽固定プレート２３４に対して高い制度で位置決めするに必要なものであって、羽部３を固定プレート２３４に取付け可能にしかつ羽部３を固定プレート２３４から取外し可能にするための必須の構成ではない。
【００４０】
（羽接続プレートと羽部の接続）
次ぎに、図５を用いて、羽部の羽接続プレートへの取り付け手法が説明される。
【００４１】
羽部３は、折板構造３２を除いて実質的に平面形状を有している。そのため、羽部３は、接着剤によって、実質的に平面形状を有する羽固定プレート２３４に容易に接着され得る。なお、羽部３が平面形状を有していることは、本発明に必須の要件ではない。羽部３を羽固定プレート２３４に取付けることができかつ羽部３を羽固定プレート２３４取外すことができるのであれば、羽部３の形状はいかなるものであってもよい。
【００４２】
また、位置決め用凸部３３が、羽部３における折板構造３２によって構成される位置決め用溝に嵌り込むことにより、羽部３の羽固定プレート２３４に対する位置関係が規定される。そのため、羽部３の交換に起因する羽固定プレート２３４に対する羽部３の位置決め誤差はほとんど生じない。
【００４３】
なお、本発明者らの実験によれば、接着強度、剥がし易さ、および硬化時間の短さの３つの要素から評価して、シアノアクリレート系の接着剤が、羽部３と羽固定プレーと２３４との位置関係の固定のために適していることが判明している。なお、接着剤は、羽部３と羽固定プレート２３４とを固定することができるものであれば、いかなる種類のものであってもよい。
【００４４】
（発明の効果）
従来においては、羽部３の前縁部および後縁部に、直接、アラミドフィルム２３６およびアラミドフィルム２３７が接続されていた。一方、本実施の形態においては、アラミドフィルム２３６およびアラミドフィルム２３７に接続された羽固定プレート２３４に羽部３が取り付けられている。したがって、羽ばたき浮上移動装置のユーザは、アラミドフィルム２３６およびアラミドフィルム２３７を切断したり、アラミドフィルム２３６およびアラミドフィルム２３７を再度作成したりすることなく、羽部３を交換することができる。そのため、アラミドフィルム２３６およびアラミドフィルム２３７の切断および再作成に起因する複合メカニカルリンク２３に対する羽部３の組み付け精度の低下を防止することができる。
【００４５】
上記本実施の形態の羽ばたき浮上移動装置によれば、羽固定プレート２３４の分だけ、羽ばたき浮上移動装置の質量および羽ばたき駆動トルクが増加することになる。しかしながら、実質上、羽固定プレート２３４に起因する羽ばたき浮上移動装置の質量の増加は、無視できる程度に小さい。その理由は、羽固定プレート２３４は、羽部３の根元プレートに接着された状態で、羽ばたき運動に耐える程度の厚さを有していさえすればよいからである。また、羽固定プレート２３４は、羽部３の回転中心位置の近傍に設けられている。そのため、羽固定プレート２３４の増加に起因する慣性（イナーシャ）の増大もほとんどない。
【００４６】
本発明者らが製造した羽ばたき浮上移動装置によれば、羽固定プレート２３４の質量は８ｍｇであり、その回転半径は約２０ｍｍである。また、羽部３の質量は約２０ｍｇであり、その回転半径は約８０ｍｍである。すなわち、羽固定プレート２３４による慣性（イナーシャ）の増加は羽部３の全体の慣性の約１／４０である。
【００４７】
（補足事項）
なお、本実施の形態の羽ばたき浮上移動装置と従来の羽ばたき浮上移動装置との差異を明確にするため、従来技術の羽ばたき浮上移動装置のメカニカルリンクと本実施の形態の羽ばたき浮上移動装置のメカニカルリンクとの相違点を述べた。しかしながら、本発明の羽ばたき浮上移動装置は、本実施の形態の羽ばたき浮上移動装置に限定されるものではなく、羽部３の一端部がアクチュエータに固定された状態で、羽部３に往復回転運動および捻り運動をさせることにより浮上力を生み出すことができる羽ばたき浮上移動装置であれば、いかなるものであってもよい。なお、本実施の形態においては、往復運動における運動方向の反転の前後の所定期間において、前縁部を回転中心軸とする捻り運動を羽部３にさせることによって、羽部３に回転揚力が生じている。ただし、本発明の羽ばたき浮上移動装置は、この往復運動および捻り運動の組合せ以外の運動によって羽ばたき浮上移動装置に羽ばたき動作をさせ、浮上力を生じさせるものであってもよい。
【００４８】
（実施の形態２）
次に、図８を用いて、本発明の実施の形態２の羽ばたき浮上移動装置が説明される。なお、本実施の形態の羽ばたき浮上移動装置の部位のうち、実施の形態１の羽ばたき浮上移動装置の部位との同一の構成および機能を有する部位は、実施の形態１において用いられた参照符号と同一の参照符号を付されており、その説明は必要がなければ、繰り返されない。
【００４９】
（羽固定プレート）
羽固定プレート１２３４には、図８に示されるように、平面視においてＵ字形状を有する溝１２３５が設けられている。また、Ｕ字形状を有する溝１２３５の底部の近傍に、薄い円柱状の突出部１２３６が設けられている。羽部１００３が、羽固定プレート１２３４に固定されている状態では、突出部１２３６が、後述される羽部１００３の根元部１０３５の凹部または貫通孔１０３１に嵌り込んでいる。さらに、羽固定プレート１２３４には、図８に示されるような爪部１２３７、１２３８、および１２３９が設けられている。したがって、羽部１００３は、羽固定プレート１２３４に固定される。より具体的には、羽部３は、爪部１２３７、１２３８、および１２３９によって羽固定プレート１２３４の主表面に対して垂直な方向の移動が拘束されるとともに、突出部１２３６によって羽固定プレート１２３４の主表面に平行な方向の移動が拘束される。また、図８から分かるように、羽部３の平面視において、Ｕ字形状を有する溝１２３５は、Ｕ字の下部が羽部３の先端を向くように、かつ、Ｕ字の上部すなわち開口部が根元を向くように配置されている。これは、次のような理由のためである。
【００５０】
一般に、羽部３の駆動により、羽部３の先端部に向かって引張り力が作用する。このとき、Ｕ字形状の内側の領域にかかる力は引っ張り方向に作用する。つまり、Ｕ字形状の内側の領域に圧縮力が作用することはない。そのため、Ｕ字形状の内側の領域は、その膜厚が小さくても、座屈することがない。したがって、羽固定プレート１２３４の材料として、比較的薄い材料を用いることができる。さらに、図９に示されるように、突出部１２３６に凹み１２４０が設けられていてもよい。凹み１２４０に貫通孔１０３１の周縁部が係止されるものであれば、貫通孔１０３１の周縁部の移動固定プレート１２３４から離れる方向の移動が凹み１２４０によって拘束される。そのため、羽部３の羽固定プレート１２３４からの脱落を確実に防止することができる。
【００５１】
（発明の効果）
本実施の形態の羽ばたき浮上移動装置によれば、羽部３の羽固定プレート１２３４に対する固定のために接着剤を用いる必要がない。そのため、羽部３をより容易に交換することができる。
【００５２】
（補足）
なお、本実施の形態の羽ばたき浮上移動装置と従来の羽ばたき浮上移動装置との差異を明確にするため、従来技術の羽ばたき浮上移動装置のメカニカルリンクと本実施の形態の羽ばたき浮上移動装置のメカニカルリンクとの対比を述べた。しかしながら、本発明の羽ばたき浮上移動装置は、本実施の形態の羽ばたき浮上移動装置に限定されるものではなく、羽部３の一端部が固定された状態で、羽部３を往復回転運動および捻り運動をさせることにより浮上力を生み出すことができる羽ばたき浮上移動装置であれば、いかなるものであってもよい。また、実施の形態１と同様に、羽ばたき浮上移動装置の羽ばたき方はいかなるものであってもよい。
【００５３】
また、図１０に示されるように、爪部１２３７、１２３８、および１２３９の代わりに、羽固定プレート１２３４がポケット状の構造１３００を有していてもよい。ポケット構造１３００とは、袋状構造であって、その内側に羽部３の根元部１０３５が挿入され得る構造である。ポケット構造１３００の内面には、前述の突出部１２３６が設けられている。したがって、羽部３がポケット構造１３００内に挿入されると、凹部または貫通孔１０３１と突出部１２３６とが嵌り合う。また、図１１に示されるように、軽量化のために、爪部１２３７と、爪部１２３８および１２３９の代わりの帯状部１４００に置き換えられてもよい。また、複数の帯状部１４００が設けられていてもよい。また、爪部１２３７、１２３８、１２３９、ポケット構造１３００、および帯状部１４００は、羽部３の固定プレート１２３４の主表面に対して垂直な方向の移動を拘束する機能を有しているのであれば、いかなるものであってもよい。さらに、実施の形態１において説明された羽部３と羽固定プレーと１２３４との接着剤による接着と、本字実施の形態において説明された羽固定プレート１２３４に設けられた爪部、ポケット構造、および帯状部による羽部３の羽固定プレート１２３４に対する固定との双方が用いられてもよい。
【００５４】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５５】
【図１】実施の形態の羽ばたき浮上移動装置の概略を示す図である。
【図２】実施の形態１の羽ばたき浮上移動装置におけるアクチュエータの概略図である。
【図３】実施の形態１の羽ばたき浮上移動装置の羽固定プレートの概略図である。
【図４】実施の形態１の羽ばたき浮上移動装置の羽部の駆動状態を説明するための図である。
【図５】実施の形態１の羽ばたき浮上移動装置の羽固定プレートへの羽部の根元部の固定方法を説明するための図である。
【図６】実施の形態１の羽ばたき浮上移動装置の羽部の概略図である。
【図７】図６のＶＩＩ−ＶＩＩ線断面図である。
【図８】実施の形態２の羽ばたき浮上移動装置の羽固定プレートへの羽部の根元部の固定方法を説明するための図である。
【図９】実施の形態２の羽ばたき浮上移動装置の羽固定プレートへの羽部の根元部の固定方法を説明するための図である。
【図１０】実施の形態２の羽ばたき浮上移動装置の他の例の羽固定プレートを示す図である。
【図１１】実施の形態２の羽ばたき浮上移動装置のさらに他の例の羽固定プレートを示す図である。
【図１２】従来の羽ばたき浮上移動装置の概略図である。
【符号の説明】
【００５６】
１  筐体、２  アクチュエータ、３，１００３  羽部、２１  上部超音波モータ、２２  下部超音波モータ、３５  根元部、２３４，１２３４  羽固定プレート。
【図１】
2009292329.tif 000003
【図２】
2009292329.tif 000004
【図３】
2009292329.tif 000005
【図４】
2009292329.tif 000006
【図５】
2009292329.tif 000007
【図６】
2009292329.tif 000008
【図７】
2009292329.tif 000009
【図８】
2009292329.tif 000010
【図９】
2009292329.tif 000011
【図１０】
2009292329.tif 000012
【図１１】
2009292329.tif 000013
【図１２】
2009292329.tif 000014